(57)【要約】【課題】トレイやアダプタを使用することなく異なるサイズのカードを識別して１つのカード挿入口で嵌合できる構造のカードコネクタを提供すること。【解決手段】サイズの異なる少なくとも２種類のメモリカード５１、５２を同一のカード挿入口５０から挿入可能なように、ハウジング２０とカバー２１とを略カード１枚分の隙間を持って配置してコネクタ収納本体５６を構成し、このコネクタ収納本体５６の内部に、ガイド板３４からなるスライダ２２を組み込み、このガイド板３４と前記コネクタ収納本体５６の側壁とによりカード収納凹部５５を形成し、前記ガイド板３４に設けた突起３５を前記スライダ２２に設けたスライド孔４２に嵌合しつつ前記スライダ２２を移動して前記カード収納凹部５５をメモリカードの大きさに応じて変化できるように構成する。【選択図】図１
2015022324.tif 000002
【特許請求の範囲】
【請求項１】
サイズの異なる少なくとも２種類のメモリカードを同一のカード挿入口から挿入可能なように、ハウジングとカバーとを略カード１枚分の隙間を持って配置してコネクタ収納本体を構成し、このコネクタ収納本体の内部に、ガイド板からなるスライダを組み込み、このガイド板と前記コネクタ収納本体の側壁とによりカード収納凹部を形成し、前記ガイド板に設けた突起を前記スライダに設けたスライド孔に嵌合しつつ前記スライダを移動して前記カード収納凹部をメモリカードの大きさに応じて変化できるように構成したことを特徴とするカードコネクタ。
【請求項２】
幅と長さの異なる２種類のメモリカードの挿入を可能とするため、スライド孔は、幅方向に移動する長孔と長さ方向に移動する長孔とを連続した略Ｌ字形としたことを特徴とする請求項１記載のカードコネクタ。
【請求項３】
幅の異なる２種類のメモリカードの挿入を可能とするため、スライド孔は、幅方向に移動する長孔としたことを特徴とする請求項１記載のカードコネクタ。
【請求項４】
長さの異なる２種類のメモリカードの挿入を可能とするため、スライド孔は、長さ方向に移動する長孔としたことを特徴とする請求項１記載のカードコネクタ。
【請求項５】
ガイド板とコネクタ収納本体の側壁とにより形成されたカード収納凹部は、幅及び／又は長さの異なる複数のメモリカードのうちの最小形状に合わせて構成し、大形メモリカードの挿入時にスライダをばねに抗して移動するようにしたことを特徴とする請求項１、２、３又は４記載のカードコネクタ。
【請求項６】
コネクタ収納本体の内部に、スライダとともにプルバーを組み込み、このプルバーの引出部をカード収納凹部の先端部に配置し、カード収納凹部に収納されたメモリカードを前記プルバーのガイド棒と引手により引き出すようにしたことを特徴とする請求項１、２、３、４又は５記載のカードコネクタ。
【発明の詳細な説明】
【技術分野】
【０００１】
本発明は、トレイやアダプタを使用することなく異なるサイズのメモリカードを識別して１つのカード挿入口で嵌合できる構造のカードコネクタに関するものである。
【背景技術】
【０００２】
従来、小形メモリカードを大形メモリカードと同一のコネクタに嵌合して使用するために、大形メモリカードと同一の形状のアダプタに小形用の凹部を設けて小形メモリカードを嵌合し使用する方法が知られていた。
また、小形メモリカードを嵌合する小さな凹部を持ったトレイと、大形メモリカードを嵌合する大きな凹部を持ったトレイとを、ともに外形が同一の２種類のものを用意し、メモリカードの形状毎に異なるトレイを使用する方法が知られていた。
【０００３】
さらに、異なるサイズのメモリカードを一つのトレイに嵌合できる方法も知られている（特許文献１）。これは、図９（ａ）（ｂ）に示すように、トレイ１１の内部に上下２段の小形カード収納凹部１６と大形カード収納凹部１５を有し、大形カード収納凹部１５には、大形メモリカード１２が収納され、小形カード収納凹部１６には小形メモリカード１３が収納される。トレイ１１の大形カード収納凹部１５に大形メモリカード１２を収納して筐体１０に嵌合すると、筐体１０の内部の大形カード用接続端子１８に接続される。また、トレイ１１の小形カード収納凹部１６に小形メモリカード１３を収納して筐体１０に嵌合すると、筐体１０の内部の小形カード用接続端子１９に接続される。
【先行技術文献】
【特許文献】
【０００４】
【特許文献１】特開２００６−２６８９７３号公報
【発明の概要】
【発明が解決しようとする課題】
【０００５】
前述の従来のアダプタを使用する方法は、アダプタを使用しないときには、このアダプタを別に保管しておかなければならず、管理が面倒であった。
メモリカードのサイズ毎にトレイを使用する方法は、使用しないカードサイズのトレイを別に保管する必要があった。また、使用するカードサイズに合わせてトレイを差し替える必要があった。
１つのトレイに２種類のカードを収納できる図９に示すトレイでは、筐体１０の内部に、異なるサイズ毎の大形カード用接続端子１８と小形カード用接続端子１９を設けなければならず、カードの異なるサイズ毎の部品を必要とし、部品点数が増え、また、異なるサイズのメモリカードを重なり合う位置に収納する構造のため、厚さが大きくなるだけでなく、構造が複雑になるという問題があった。
【０００６】
本発明は、トレイやアダプタを使用することなく異なるサイズのカードを識別して１つのカード挿入口で嵌合できる構造のカードコネクタを提供することを目的とするものである。
【課題を解決するための手段】
【０００７】
本発明のカードコネクタは、大形メモリカード５１を挿入するために、ハウジング２０とカバー２１とを大形メモリカード５１の厚さ分の隙間を持って配置してコネクタ収納本体５６を構成する。このコネクタ収納本体５６の内部に、ガイド板３４からなるスライダ２２を組み込み、このガイド板３４と前記コネクタ収納本体５６の側壁とによりカード収納凹部５５を形成し、前記ガイド板３４に設けた突起３５を前記カバー２１に設けたスライド孔４２に嵌合しつつ前記スライダ２２を移動して前記カード収納凹部５５をメモリカードの大きさに応じて変化できるようにしたことを特徴とする。
【０００８】
幅と長さの異なる大形メモリカード５１と小形メモリカード５２の２種類の挿入を可能とするため、スライド孔４２は、幅方向に移動する長孔と長さ方向に移動する長孔とを連続した略Ｌ字形としたことを特徴とする。
【０００９】
ガイド板３４とコネクタ収納本体５６の側壁とにより形成されたカード収納凹部５５は、幅及び／又は長さの異なる複数のメモリカード５１、５２のうちの最小形状に合わせて構成し、大形メモリカード５１の挿入時にスライダ２２をばね４１に抗して移動するようにし、大形メモリカード５１を抜去すると元の位置に復帰することを特徴とする。
【００１０】
コネクタ収納本体５６の内部に、スライダ２２とともにプルバー２３を組み込み、このプルバー２３の引出部３０をカード収納凹部５５の先端部に配置し、カード収納凹部５５に収納されたメモリカードを前記プルバー２３のガイド棒３１と引手３２により引き出すようにしたことを特徴とする。
【発明の効果】
【００１１】
請求項１記載の発明によれば、サイズの異なる少なくとも２種類のメモリカードを同一のカード挿入口から挿入可能なように、ハウジングとカバーとを略カード１枚分の隙間を持って配置してコネクタ収納本体を構成し、このコネクタ収納本体の内部に、ガイド板からなるスライダを組み込み、このガイド板と前記コネクタ収納本体の側壁とによりカード収納凹部を形成し、前記ガイド板に設けた突起を前記スライダに設けたスライド孔に嵌合しつつ前記スライダを移動して前記カード収納凹部をメモリカードの大きさに応じて変化できるように構成したので、次の効果を有する。
（１）ハウジングとカバーとを略カード１枚分の隙間を持って配置してコネクタ収納本体を構成し、内部にガイド板からなるスライダを組み込んだので、メモリカードのサイズに応じてスライダが移動し、サイズの異なるカードに対応することができる。また、カード収納凹部の一辺がコネクタ収納本体の側壁からなるので、コネクタ収納本体内部の電極の位置、ストッパーの位置等の設定が容易になる。このコネクタ収納本体の側壁は、固定的な構成でもよいし、メモリカードの形状や大きさに応じて可動するものであってもよい。
（２）少なくとも２種類のメモリカードを同一のカード挿入口から挿入可能なように、ハウジングとカバーとを略カード１枚分の隙間を持って配置してコネクタ収納本体を構成したので、コネクタ収納本体の厚さを略カード１枚分とすることができ、従来にない小型化が可能になる。
（３）ガイド板に設けた突起をスライダに設けたスライド孔に嵌合しつつスライダを移動するので、スライダの位置を確実に変化させてメモリカードの大きさに合わせることができる。
（４）メモリカードのサイズに合わせてアダプタやトレイを用意する必要がないので、別に保管しカードサイズに合わせてトレイを差し替える必要がない。
（５）部品点数を少なくでき、安価に提供することができる。
【００１２】
請求項２記載の発明によれば、スライド孔は、幅方向に移動する長孔と長さ方向に移動する長孔とを連続した略Ｌ字形としたので、スライド孔の形状を調整するだけで幅と長さの異なる２種類のメモリカードを挿入することができる。
【００１３】
請求項３記載の発明によれば、スライド孔は、幅方向に移動する長孔としたので、スライド孔の簡単な構成で、幅の異なる２種類のメモリカードを挿入することができる。
【００１４】
請求項４記載の発明によれば、スライド孔は、長さ方向に移動する長孔としたので、スライド孔の簡単な構成で、長さの異なる２種類のメモリカードを挿入することができる。
【００１５】
請求項５記載の発明によれば、ガイド板とコネクタ収納本体の側壁とにより形成されたカード収納凹部は、幅及び／又は長さの異なる複数のメモリカードのうちの最小形状に合わせて構成し、大形メモリカードの挿入時にスライダをばねに抗して移動するようにしたので、スライダは、メモリカードを抜去すると常に初期状態に戻すことができる。
【００１６】
請求項６記載の発明によれば、コネクタ収納本体の内部に、スライダとともにプルバーを組み込み、このプルバーの引出部をカード収納凹部の先端部に配置し、カード収納凹部に収納されたメモリカードを前記プルバーのガイド棒と引手により引き出すようにしたので、コネクタ収納本体を可能な限り小さくしても挿入されたメモリカードを確実に抜去することができる。
【図面の簡単な説明】
【００１７】
【図１】本発明によるカードコネクタの一実施例を示すもので、カバーを外した斜視図である。
【図２】図１におけるスライダの部分拡大図である。
【図３】本発明によるカードコネクタの分解斜視図である。
【図４】本発明によるカードコネクタに大形メモリカードを挿入する直前で、カバーを外した状態の斜視図である。
【図５】本発明によるカードコネクタに大形メモリカードを完全に挿入したときの、カバーを外した状態の斜視図である。
【図６】本発明によるカードコネクタに小形メモリカードを挿入する直前で、カバーを外した状態の斜視図である。
【図７】本発明によるカードコネクタに小形メモリカードを完全に挿入したときの、カバーを外した状態の斜視図である。
【図８】（ａ）は、実施例１におけるスライド孔の説明図、（ｂ）は、直線的に傾斜したスライド孔の説明図、（ｃ）は、直線的に水平方向のスライド孔の説明図、（ｄ）は、直線的に縦方向のスライド孔の説明図、（ｅ）は、幅と長さの異なる３種類のカードに使用されるスライド孔の説明図である。
【図９】従来のカードコネクタを示すもので、（ａ）は、分解斜視図、（ｂ）は、筐体１０にトレイを挿入直前の側面図である。
【発明を実施するための形態】
【００１８】
本発明のカードコネクタは、ハウジング２０とカバー２１とでコネクタ収納本体５６を構成する。このコネクタ収納本体５６は、大形メモリカード５１よりやや大きく、ハウジング２０とカバー２１とを大形メモリカード５１の厚さ分の隙間を持って配置する。このコネクタ収納本体５６の内部に、ガイド板３４からなるスライダ２２を移動自在に組み込み、このガイド板３４と前記コネクタ収納本体５６の側壁とによりカード収納凹部５５を形成する。前記ガイド板３４に設けた突起３５を前記カバー２１に設けたスライド孔４２に嵌合しつつ前記スライダ２２を移動して前記カード収納凹部５５をメモリカードの大きさに応じて変化できるようにする。
【００１９】
幅と長さの異なる大形メモリカード５１と小形メモリカード５２の２種類の挿入を可能とするため、スライド孔４２は、幅方向に移動する長孔と長さ方向に移動する長孔とを連続した略Ｌ字形とする。
【００２０】
ガイド板３４とコネクタ収納本体５６の側壁とにより形成されたカード収納凹部５５は、幅及び／又は長さの異なる複数のメモリカード５１、５２のうちの最小形状に合わせて構成し、大形メモリカード５１の挿入時にスライダ２２をばね４１に抗して移動するようにし、大形メモリカード５１を抜去すると元の位置に復帰する。
【００２１】
コネクタ収納本体５６の内部に、スライダ２２とともにプルバー２３を組み込み、このプルバー２３の引出部３０をカード収納凹部５５の先端部に配置し、カード収納凹部５５に収納されたメモリカードを前記プルバー２３のガイド棒３１と引手３２により引き出す。
【実施例１】
【００２２】
以下、本発明の実施例１を図面に基づき説明する。
図１〜図３において、本発明のカードコネクタは、ハウジング２０とカバー２１とでコネクタ収納本体５６を構成し、このコネクタ収納本体５６の内部にスライダ２２とプルバー２３とを収納して構成されている。
前記ハウジング２０は、平たい絶縁材からなり、このハウジング２０は、大形メモリカード５１よりわずかに大きな略４角形をなし、３方が大形メモリカード５１よりわずかに高い側壁２６で囲まれ、カバー２１を被せたとき底面２４との間の手前側にカード挿入口５０が形成される。前記底面２４の上面には、複数の接触電極２５が設けられており、大形メモリカード５１と小形メモリカード５２のいずれを挿入したときにもこれら大形メモリカード５１と小形メモリカード５２の下面の電極に接触する位置に設けられている。前記後部（奥行部）の側壁２６には、大形メモリカード５１の先端部が当接するカード当接面４８を形成し、このカード当接面４８の上面のプルバー摺動面２７には、後述するプルバー２３が摺動自在に載せられ、段部４９の位置まで図中前後方向に移動できるようになっている。前記左側の側壁２６に沿って、前記プルバー２３のガイド棒３１が移動自在に嵌合するプルバー溝２８が形成されている。前記底面２４の左側には、一体に延長板２４ａが形成され、この延長板２４ａの前端部には、前記プルバー２３の引手３２が嵌合する引手収納部２９が形成されている。このハウジング２０の図中左側には、延長部２４ａが一体に設けられている。
【００２３】
前記プルバー２３は、引出部３０とガイド棒３１でＬ字形をなし、この引出部３０とガイド棒３１の連続する内側の角部には、前記カード当接面４８と同形の三角板部５４をなし、この３角板部５４の端部が前記側壁２６の段部４９に接する位置まで移動する。このプルバー２３の側面の突片５３と前記ハウジング２０の一部との間にばね３３が設けられ、このばね３３によりプルバー２３が常時後方（奥行方向）に引かれている。前記ガイド棒３１の手前側端部の前記引手収納部２９に位置して引手３２が一体に設けられている。
【００２４】
前記スライダ２２は、メモリカードの先端部に接するカード先端接触板３４ａとメモリカードの側端部に接するカード側端接触板３４ｂとでガイド板３４をなし、このカード先端接触板３４ａとカード側端接触板３４ｂの連続する内側の角は、前記カード当接面４８と同様の形状の内側当接面４７となっている。このガイド板３４と右側の側壁２６とで構成される底面２４の上の空間は、図１に示すカード収納凹部５５を構成している。このカード収納凹部５５は、スライダ２２の移動前が最も小さな小形メモリカード５２を収納する形態とする。また、カード先端接触板３４ａの端部と、カード先端接触板３４ａとカード側端接触板３４ｂの屈曲部と、カード側端接触板３４ｂの端部とにそれぞれ突起３５が設けられている。前記カード側端接触板３４ｂの内側端部には、カードの挿入のための傾斜したガイド面３６が設けられている。このカード側端接触板３４ｂの端部には、外方に直角に伸びた延長アーム部３８が一体に設けられている。図２に示すように、この延長アーム部３８の下に位置して位置保持板３７が設けられ、延長アーム部３８のすり割り４０に位置保持板３７の突起部４４が係合しつつ、位置保持板３７のすり割り３９に延長アーム部３８の突起部４３が係合し、さらに、延長アーム部３８と位置保持板３７との間にばね４１が介在されている。前記位置保持板３７は、延長板２４ａの上に載せられ、図中の前後方向（奥行方向）に摺動自在で、この位置保持板３７に対して延長アーム部３８とスライダ２２が図中左右方向に移動自在に設けられている。
【００２５】
前記カバー２１は、金属薄板等からなり、両側縁部２１ａ、２１ｃと後縁部２１ｂが下向きに垂下し、前縁部だけ開口し、また、前記スライダ２２の３個の突起３５の位置に一致して３個所にスライド孔４２が形成され、これらのスライド孔４２は、Ｌ字孔をなし、角部は、やや傾斜している。前縁開口部の前記引手収納部２９に位置して引手用切欠き４６が形成されている
【００２６】
前記ハウジング２０の上に、プルバー２３を組み込むには、引手３２を引手収納部２９に位置させつつガイド棒３１をプルバー溝２８に嵌合し、引出部３０をプルバー摺動面２７の上に載せる。すると、ばね３３によりプルバー２３は、後部の側壁２６に接する位置で停止する。
ハウジング２０にプルバー２３を組み立てた後、スライダ２２をプルバー２３の上に被せる。すると、ガイド板３４は、底面２４の上に位置し、位置保持板３７は、延長板２４ａの上の前端に位置する。
次いで、ハウジング２０にカバー２１を上から被せて固定する。すると、ガイド板３４がばね４１で図の右側に付勢されて３個の突起３５が３個のスライド孔４２の水平孔部分に嵌合する。この時、ハウジング２０とカバー２１の前部にカード挿入口５０が形成される。
【００２７】
次に、メモリカードの挿入と抜去について説明する。
（１）説明の都合上、カバー２１を省いている図４及び図５において、大形メモリカード５１は、小形メモリカード５２に比較し、幅が広く、長さも長いものとする。
図４に示すように、大形メモリカード５１の電極が下面となるようにして挿入する。スライダ２２の内側のカード収納凹部５５は、小形メモリカード５２が嵌合するように形成されており、大形メモリカード５１より狭いので、大形メモリカード５１の傾斜面がガイド面３６に当接する。当接したまま大形メモリカード５１を挿入すると、スライダ２２は、ばね４１に抗して横移動する。スライダ２２の横移動は、突起３５がスライド孔４２横方向部分に嵌合しているので、まず、横方向に移動してプルバー２３の３角板部５４に乗り上げる。突起３５がスライド孔４２の傾斜部分に差し掛かると、スライダ２２は、横移動から斜め前方への移動となる。この斜め前方への移動に伴い、位置保持板３７が延長板２４ａの上を移動する。大形メモリカード５１がカード収納凹部５５に挿入され、大形メモリカード５１の先端がカード先端接触板３４ａに達すると、図５のように突起３５がスライド孔４２の縦方向部分に到達し、大形メモリカード５１とスライダ２２は、一体となって前部の側壁２６に到達するまで挿入されて停止する。この状態では、大形メモリカード５１の後端部がカード挿入口５０と一致し、大形メモリカード５１の電極と接触電極２５が電気的に接続される。
【００２８】
大形メモリカード５１を抜去するときは、引手用切欠き４６に臨ませられているプルバー２３の引手３２を引き抜くと、引出部３０が大形メモリカード５１の先端部に係止しているので、ガイド棒３１がプルバー溝２８内を摺動し、かつ、ばね３３に抗して図５の鎖線のように大形メモリカード５１がカード挿入口５０から飛び出し、飛び出し部分を手で引き抜く。大形メモリカード５１が引き抜かれると、プルバー２３はばね３３により元の位置に引き戻され、また、スライダ２２は、ばね４１の力で突起３５がスライド孔４２の傾斜面を経て移動して図４の状態に戻る。
【００２９】
（２）説明の都合上、カバー２１を省いている図６及び図７に基づき、小形メモリカード５２の挿入と抜去を説明する。
図６に示すように、小形メモリカード５２の電極が下面となるようにして挿入する。カード収納凹部５５の幅は、小形メモリカード５２と一致するように構成されているので、小形メモリカード５２の傾斜面がガイド面３６に当接することなく小形メモリカード５２を挿入する。このとき、スライダ２２は、横移動することも縦移動することもない。小形メモリカード５２がカード収納凹部５５に挿入され、小形メモリカード５２の先端がカード先端接触板３４ａに達すると、図７のように小形メモリカード５２は、カード収納凹部５５に挿入されて停止する。この状態では、小形メモリカード５２の後端部がカード挿入口５０と一致し、小形メモリカード５２の電極と接触電極２５が電気的に接続される。
【００３０】
小形メモリカード５２を抜去するときは、引手用切欠き４６に臨ませられているプルバー２３の引手３２を引き抜くと、引出部３０が小形メモリカード５２の先端部に係止しているので、ガイド棒３１がプルバー溝２８内を摺動し、かつ、ばね３３に抗して図７の鎖線のように小形メモリカード５２がカード挿入口５０から飛び出し、飛び出し部分を手で引き抜く。小形メモリカード５２が引き抜かれると、図６の状態に戻る。
【実施例２】
【００３１】
前記実施例では、大形メモリカード５１と小形メモリカード５２は、幅がｘ、長さがｙだけ異なるものを例示した。そのため、図８（ａ）に示すように、カバー２１に形成したスライド孔４２は、Ｌ字形で、途中を傾斜面とし、突起３５が点ａから点ｂに移動するように構成した。しかし、このスライド孔４２の形状は、これに限られるものではない。
図８（ｂ）は、大形メモリカード５１と小形メモリカード５２の幅がｘ、長さがｙだけ異なる場合において、スライド孔４２の形状を斜め直線とした例を示している。このときのスライド孔４２の形状は、弧状であってもよい。
図８（ｃ）は、大形メモリカード５１と小形メモリカード５２の幅がｘだけ異なり、長さが等しい場合、スライド孔４２を水平な直線とした例を示している。
図８（ｄ）は、大形メモリカード５１と小形メモリカード５２の幅が等しく、長さがｙだけ異なる場合、スライド孔４２を奥行き方向に直線とした例を示している。
図８（ｅ）は、第１の大形メモリカードと第２の小形メモリカードの幅がｘ１、長さがｙ１だけ異なり、第２の大形メモリカードと第３の小形メモリカードの幅がｘ２、長さがｙ２だけ異なる場合、スライド孔４２を点ａから点ｂに移動するものと、点ｂから点ｃに移動するものを連続させ、３種類のメモリカードに対応できるように例を示している。
【００３２】
前記実施例では、カード収納凹部５５は、ガイド板３４とハウジング２０の右側側壁２６とで構成している。しかし、これに限られるものではなく、ガイド板３４とカバー２１から垂下した右側縁部２１ａとで構成することもできる。
また、カード収納凹部５５を、ガイド板３４とハウジング２０の右側側壁２６又はカバー２１から垂下した右側縁部２１ａとで構成した場合において、ハウジング２０の右側側壁２６又はカバー２１から垂下した右側縁部２１ａは、固定としたが、これに限られるものではなく、メモリカードの大きさや形状に応じて、ガイド板３４とハウジング２０の右側側壁２６又はカバー２１から垂下した右側縁部２１ａがともに可動するものであってもよい。
【符号の説明】
【００３３】
１０…筐体、１１…トレイ、１２…大形メモリカード、１３…小形メモリカード、１４…挿入口、１５…大形カード収納凹部、１６…小形カード収納凹部、１７…支持体、１８…大形カード用接続端子、１９…小形カード用接続端子、２０…ハウジング、２１…カバー、２１ａ…側縁部、２１ｃ…側縁部、２１ｂ…後縁部、２２…スライダ、２３…プルバー、２４…底面、２５…接触電極、２６…側壁、２７…プルバー摺動面、２８…プルバー溝、２９…引手収納部、３０…引出部、３１…ガイド棒、３２…引手、３３…ばね、３４…ガイド板、３５…突起、３６…ガイド面、３７…位置保持板、３８…延長アーム部、３９…すり割り、４０…すり割り、４１…ばね、４２…スライド孔、４３…突起部、４４…突起部、４５…ストッパ、４６…引手用切欠き、４７…内側当接面、４８…カード当接面、４９…段部、５０…カード挿入口、５１…大形メモリカード、５２…小形メモリカード、５３…突片、５４…３角板部、５５…カード収納凹部、５６…コネクタ収納本体。
【図１】
2015022324.tif 000003
【図２】
2015022324.tif 000004
【図３】
2015022324.tif 000005
【図４】
2015022324.tif 000006
【図５】
2015022324.tif 000007
【図６】
2015022324.tif 000008
【図７】
2015022324.tif 000009
【図８】
2015022324.tif 000010
【図９】
2015022324.tif 000011